(57)【要約】【課題】電力が無駄に消費されてしまうということを防止する。【解決手段】制御手段としてのメイン制御部１０により、メイン電源がオンされた後、メイン電源の設定されたオフ時間内で、ユーザによる操作無しが所定時間経過する毎に、記録再生系ブロック、出力系ブロック、アナログチューナ系ブロック、デジタルチューナ系ブロックのいずれかの回路ブロック又は全ての回路ブロックの電源を設定に応じて順次オフするように制御し、設定されたメイン電源のオフ時間になるまでに不必要な回路ブロックに対しての通電がオフされようにした。【選択図】図１
2007174765.tif 000002
【特許請求の範囲】
【請求項１】
複数の回路ブロックの電源制御を行う電源制御装置であって、
メイン電源がオンされた後、前記メイン電源の設定されたオフ時間内で、ユーザによる操作無しが所定時間経過する毎に前記回路ブロックの電源を順次オフするように制御する制御手段を備える
ことを特徴とする電源制御装置。
【請求項２】
前記制御手段は、いずれかの前記回路ブロックの電源をオフさせるかの設定を、ＵＩを介して受け付けることを特徴とする請求項１に記載の電源制御装置。
【請求項３】
前記制御手段は、いずれかの前記回路ブロックの電源をオフさせるかのオフ時間の設定を、ＵＩを介して受け付けることを特徴とする請求項１又は２に記載の電源制御装置。
【請求項４】
前記制御手段は、いずれかの前記回路ブロックの電源をオフさせるかの警告表示の設定を、ＵＩを介して受け付けることを特徴とする請求項１〜３のいずれかに記載の電源制御装置。
【請求項５】
前記制御手段は、前記警告表示に対する指示がなければ該当する回路ブロックの電源をオフするか否かの設定を、ＵＩを介して受け付けることを特徴とする請求項４に記載の電源制御装置。
【請求項６】
前記制御手段は、前記警告表示に対する電源オフの指示を受け付けて該当する回路ブロックの電源をオフすることを特徴とする請求項４に記載の電源制御装置。
【請求項７】
前記制御手段は、前記警告表示に対する電源オフしないとする指示を受け付けると、該当する回路ブロックの電源をオフしないことを特徴とする請求項４に記載の電源制御装置。
【請求項８】
複数の回路ブロックの電源制御を行う電源制御方法であって、
メイン電源がオンされた後、前記メイン電源の設定されたオフ時間内で、ユーザによる操作無しが所定時間経過する毎に前記回路ブロックの電源を順次オフするように制御するステップを有する
ことを特徴とする電源制御方法。
【請求項９】
いずれかの前記回路ブロックの電源をオフさせるかの設定を、ＵＩを介して受け付けるステップを有することを特徴とする請求項８に記載の電源制御方法。
【請求項１０】
いずれかの前記回路ブロックの電源をオフさせるかのオフ時間の設定を、ＵＩを介して受け付けるステップを有することを特徴とする請求項８又は９に記載の電源制御方法。
【請求項１１】
いずれかの前記回路ブロックの電源をオフさせるかの警告表示の設定を、ＵＩを介して受け付けるステップを有することを特徴とする請求項８〜１０のいずれかに記載の電源制御方法。
【請求項１２】
前記警告表示に対する指示がなければ該当する回路ブロックの電源をオフするか否かの設定を、ＵＩを介して受け付けるステップを有することを特徴とする請求項１１に記載の電源制御方法。
【請求項１３】
前記警告表示に対する電源オフの指示を受け付けて該当する回路ブロックの電源をオフするステップを有することを特徴とする請求項１１に記載の電源制御方法。
【請求項１４】
前記警告表示に対する電源オフしないとする指示を受け付けると、該当する回路ブロックの電源をオフしないステップを有することを特徴とする請求項１１に記載の電源制御方法。
【発明の詳細な説明】
【技術分野】
【０００１】
本発明は、記録再生装置等の電子機器における内部の回路ブロック毎に電源のオン／オフ制御を行う電源制御装置及び電源制御方法に関する。
【背景技術】
【０００２】
たとえば、ＨＤＤレコーダ等の記録再生装置には、記録再生系ブロック、出力系ブロック、アナログチューナ系ブロック、デジタルチューナ系ブロック等の複数の回路ブロックを有するものがある。
【０００３】
ところで、このような記録再生装置では、メイン電源がオンされると、全ての回路ブロックへの通電が行われ、その状態がメイン電源のオフまで継続されることになる。通常、メイン電源の消し忘れは、オフタイマ機能付きであれば、予めオフ時間を設定しておくことで、防止できる。
【０００４】
ところが、このようなオフタイマ機能では、設定できるオフ時間が２時間、４時間といった長時間単位であり、設定されたオフ時間になるまで不必要な回路ブロックに対しても通電が行われていることになり、電力が無駄に消費されてしまうことになる。
【０００５】
電力を削減するようにしたものとして、特許文献１では、テレビジョン放送および音声放送の両方を受信可能な受信部と、受信部の出力を受け、両放送に共通した信号処理を行う信号処理部と、信号処理部に電力を供給する、出力電圧値が可変な可変電圧電源とを設け、信号処理部において音声放送の信号処理を行う場合には、テレビジョン放送の信号処理を行う場合に比して、可変電圧電源の出力電圧値を低くすることにより、地上波デジタルテレビジョン放送と地上波デジタル音声放送とをともに受信可能であって、さらに、両放送に応じて電力を削減できるデジタル放送受信機を提案している。
【特許文献１】特開２００３−２３５８２号公報
【発明の開示】
【発明が解決しようとする課題】
【０００６】
このように、上述した特許文献１では、信号処理部において音声放送の信号処理を行う場合、テレビジョン放送の信号処理を行う場合に比して、可変電圧電源の出力電圧値を低くすることにより、テレビジョン放送および音声放送の両放送に応じて電力を削減できる。
【０００７】
ところで、このような技術を、上述したＨＤＤレコーダ等の記録再生装置に適用することは可能であるが、記録再生装置では、特許文献１のようなデジタル放送受信機とは異なり、メイン電源がオンされた後では記録再生が行われなくても上述した全ての回路ブロックへの通電が維持されている。
【０００８】
そのため、たとえ上述したオフタイマ機能によってオフ時間を設定したとしても、上述したように、設定できるオフ時間が２時間、４時間といった長時間単位であり、設定されたオフ時間になるまで不必要な回路ブロックに対しても通電が行われてしまい、電力が無駄に消費されてしまうという問題があった。
【０００９】
本発明は、このような状況に鑑みてなされたものであり、上記問題点を解決することができる電源制御装置及び電源制御方法を提供することを目的とする。
【課題を解決するための手段】
【００１０】
本発明の電源制御装置は、複数の回路ブロックの電源制御を行う電源制御装置であって、メイン電源がオンされた後、前記メイン電源の設定されたオフ時間内で、ユーザによる操作無しが所定時間経過する毎に前記回路ブロックの電源を順次オフするように制御する制御手段を備えることを特徴とする。
また、前記制御手段は、いずれかの前記回路ブロックの電源をオフさせるかの設定を、ＵＩを介して受け付けるようにすることができる。
また、前記制御手段は、いずれかの前記回路ブロックの電源をオフさせるかのオフ時間の設定を、ＵＩを介して受け付けるようにすることができる。
また、前記制御手段は、いずれかの前記回路ブロックの電源をオフさせるかの警告表示の設定を、ＵＩを介して受け付けるようにすることができる。
また、前記制御手段は、前記警告表示に対する指示がなければ該当する回路ブロックの電源をオフするか否かの設定を、ＵＩを介して受け付けるようにすることができる。
また、前記制御手段は、前記警告表示に対する電源オフの指示を受け付けて該当する回路ブロックの電源をオフするようにすることができる。
また、前記制御手段は、前記警告表示に対する電源オフしないとする指示を受け付けると、該当する回路ブロックの電源をオフしないようにすることができる。
本発明の電源制御方法は、複数の回路ブロックの電源制御を行う電源制御方法であって、メイン電源がオンされた後、前記メイン電源の設定されたオフ時間内で、ユーザによる操作無しが所定時間経過する毎に前記回路ブロックの電源を順次オフするように制御するステップを有することを特徴とする。
また、いずれかの前記回路ブロックの電源をオフさせるかの設定を、ＵＩを介して受け付けるステップを有するようにすることができる。
また、いずれかの前記回路ブロックの電源をオフさせるかのオフ時間の設定を、ＵＩを介して受け付けるステップを有するようにすることができる。
また、いずれかの前記回路ブロックの電源をオフさせるかの警告表示の設定を、ＵＩを介して受け付けるステップを有するようにすることができる。
また、前記警告表示に対する指示がなければ該当する回路ブロックの電源をオフするか否かの設定を、ＵＩを介して受け付けるステップを有するようにすることができる。
また、前記警告表示に対する電源オフの指示を受け付けて該当する回路ブロックの電源をオフするステップを有するようにすることができる。
また、前記警告表示に対する電源オフしないとする指示を受け付けると、該当する回路ブロックの電源をオフしないステップを有するようにすることができる。
本発明の電源制御装置及び電源制御方法では、メイン電源がオンされた後、メイン電源の設定されたオフ時間内で、ユーザによる操作無しが所定時間経過する毎に回路ブロックの電源を順次オフするように制御され、設定されたメイン電源のオフ時間になるまでに不必要な回路ブロックに対しての通電がオフされる。
【発明の効果】
【００１１】
本発明の電源制御装置及び電源制御方法によれば、設定されたメイン電源のオフ時間になるまでに不必要な回路ブロックに対しての通電がオフされるようにしたので、電力が無駄に消費されてしまうということを防止することができる。
【発明を実施するための最良の形態】
【００１２】
本実施形態では、制御手段により、メイン電源がオンされた後、メイン電源の設定されたオフ時間内で、ユーザによる操作無しが所定時間経過する毎に回路ブロックの電源を順次オフするように制御し、設定されたメイン電源のオフ時間になるまでに不必要な回路ブロックに対しての通電がオフされるようにすることで、電力が無駄に消費されてしまうということを防止した。
【実施例】
【００１３】
以下、本発明の実施例の詳細について説明する。図１は、本発明の電源制御装置をＨＤＤレコーダに適用した場合の一実施例を説明するための図である。なお、図１において、実線矢印は信号の流れを示し、点線矢印は制御の流れを示している。
【００１４】
同図に示すように、電源制御装置は、メイン制御部１０、デジタル制御部２０、アナログ制御部３０を備えている。制御手段としてのメイン制御部１０は、メイン電源がオンされた後、たとえば分単位程の短い時間で、使わない機能に該当する回路ブロックの電源を順番にオフするように、デジタル制御部２０及びアナログ制御部３０を制御する。なお、使わない機能に該当する回路ブロックの電源を順番にオフするような設定は、たとえばＵＩ表示された内容からユーザの指示を受け付けることで実行されるが、その詳細については後述する。また、メイン制御部１０は、ＬＥＤ等によって情報を表示する本体表示部４０の表示動作を制御する。
【００１５】
デジタル制御部２０は、デジタルチューナ部２１−１〜２１−Ｎ、デジタル復調部２２−１〜２２−Ｎ、復号部２３、ストリームデコード部２４、ＧＵＩ表示ＭＩＸ部２５、記録媒体駆動部４１−１〜４１−Ｎ、映像音声出力部４２、ストリーム制御部４３の動作と通電の制御を行う。
【００１６】
デジタルチューナ部２１−１〜２１−Ｎは、デジタル放送を受信する。デジタル復調部２２−１〜２２−Ｎは、デジタルチューナ部２１−１〜２１−Ｎからの出力を復調する。復号部２３は、デジタル復調部２２−１〜２２−Ｎによって復調されたデジタル信号から暗号化されたデジタル放送のストリームを復号化する。
【００１７】
ストリームデコード部２４は、復号部２３によって復号化されたストリームをデジタル映像とデジタル音声にデコードする。ＧＵＩ表示ＭＩＸ部２５は、ストリームデコード部２４及び後述のストリームデコード部３５から出力されるデコード音声及びデコード映像に対し、ＵＩ (user interface)  を重畳し、最終的に出力する映像と音声とを選択する。
【００１８】
記録媒体駆動部４１−１〜４１−Ｎは、図示しない記録媒体に対する情報の記録／再生を行う。記録媒体としては、ＣＤ、ＤＶＤ、メモリカード等を用いることができる。映像音声出力部４２は、ＧＵＩ表示ＭＩＸ部２５から出力される映像及び音声を出力する。ストリーム制御部４３は、図示しない記録媒体の再生ストリームを制御する。
【００１９】
アナログ制御部３０は、アナログチューナ部３１−１〜３１−Ｎ、アナログ復調部３２−１〜３２−Ｎ、Ａ／Ｄ部３３、ストリームエンコード部３４、ストリームデコード部３５の動作と通電の制御を行う。
【００２０】
アナログチューナ部３１−１〜３１−Ｎは、アナログ放送を受信する。アナログ復調部３２−１〜３２−Ｎは、アナログチューナ部３１−１〜３１−Ｎからの出力を復調する。Ａ／Ｄ部３３は、アナログ復調部３２−１〜３２−Ｎからのアナログ映像及びアナログ音声をデジタル化する。ストリームエンコード部３４は、Ａ／Ｄ部３３からの出力をストリーム化する。ストリームデコード部３５は、ストリーム制御部４３から出力される再生ストリームをデコードする。
【００２１】
なお、図１において、説明の都合上、デジタル制御部２０、デジタルチューナ部２１−１〜２１−Ｎ、デジタル復調部２２−１〜２２−Ｎ、復号部２３、ストリームデコード部２４は、デジタルチューナ系の回路ブロックであるものとする。また、アナログ制御部３０、アナログチューナ部３１−１〜３１−Ｎ、アナログ復調部３２−１〜３２−Ｎ、Ａ／Ｄ部３３、ストリームエンコード部３４、ストリームデコード部３５は、アナログチューナ系の回路ブロックであるものとする。また、これらの回路ブロックの分け方に際しては、図１のように限定されるものではなく、適宜、分けることができるものである。
【００２２】
また、記録媒体駆動部４１−１〜４１−Ｎ、ストリーム制御部４３は、記録再生系の回路ブロックであるものとする。また、ＧＵＩ表示ＭＩＸ部２５、映像音声出力部４２は、出力系の回路ブロックであるものとする。
【００２３】
図２は、ユーザによっていずれの回路ブロックの電源をＯＮ／ＯＦＦさせるかを設定するためのＵＩ（User Interface）の一例を示す図である。なお、 ＵＩ設定には、ＧＵＩ  （Graphical User Interface）とＣＵＩ（Character User Interface）とがあり、いずれでも設定することは可能であるが、ここではＧＵＩ設定を例示している。また、以下の画面は、本体表示部４０に表示されるものとする。さらに、設定においては、機器本体側の操作ボタン又はリモコン操作によって行うことが可能である。
【００２４】
まず、図２（ａ）は、"本体設定"、"省エネ設定"等を行うことができる初期画面を示している。ここで、その初期画面から"省エネ設定"を選択すると、図２（ｂ）に示すような"自動設定"又は"手動設定"を選択するための選択画面が表示される。ここでの"自動設定"とは、記録再生系ブロック、出力系ブロック、アナログチューナ系ブロック、デジタルチューナ系ブロック、メイン電源の全てがメイン電源がオンされてから所定時間毎にオフされ、併せて後述の警告表示がそれぞれのオフ時間毎に表示させるように設定されることである。
【００２５】
一方、"手動設定"とは、記録再生系ブロック、出力系ブロック、アナログチューナ系ブロック、デジタルチューナ系ブロック、メイン電源のいずれかがメイン電源がオンされてから所定時間後に任意にオフさせたり、併せて後述の警告表示がそれぞれのオフ時間毎に表示させるか、あるいは表示させないかが設定されることである。
【００２６】
その選択画面で"自動設定"を選択すると、図２（ｃ）に示すような自動設定を"する"、あるいは"設定解除"のいずれかを選択するための選択画面が表示される。ここで、自動設定を"する"を選択すると、図２（ｄ）に示すような自動設定の内容が表示される。その自動設定の内容は、製品出荷時に予め設定されているものとすることができる。なお、その自動設定の内容は、ユーザによって変更することも可能である。
【００２７】
すなわち、自動設定においては、記録再生系ブロック、出力系ブロック、アナログチューナ系ブロック、デジタルチューナ系ブロック、メイン電源がそれぞれ５分後、１０分後、１５分後、２０分後、６０分後に電源がオフされるように設定されているものとする。また、それぞれの電源がオフされるときの警告表示が全てｏｎに設定されているものとする。警告表示については後述する。
【００２８】
また、出力系ブロック、アナログチューナ系ブロック、デジタルチューナ系ブロック、メイン電源において、電源がオフされる順番は任意であり、それぞれの順番を入れ替えることも可能である。また、オフするための時間についても変更可能である。
【００２９】
また、図２（ｂ）において、"手動設定"を選択すると、図２（ｅ）に示すような手動設定を"する"、あるいは"設定解除"のいずれかを選択するための選択画面が表示される。ここで、手動設定を"する"を選択すると、図２（ｆ）に示すような手動設定を行うための内容が表示される。その手動設定を行うための内容は、自動設定と同じように、記録再生系ブロック、出力系ブロック、アナログチューナ系ブロック、デジタルチューナ系ブロック、メイン電源となっている。
【００３０】
また、記録再生系ブロック、出力系ブロック、アナログチューナ系ブロック、デジタルチューナ系ブロック、メイン電源のそれぞれにおいて、オフ時間を設定する場合には、選択ボタン５０を選択すると、図２（ｇ）に示すようなオフ時間を選択できる画面が表示されるものとする。ここでは、オフ時間を"５"、"１０"、"１５"・・・のいずれかから選択することができる。また、オフ時間を設定しない場合は、"オフしない"を選択すればよい。
【００３１】
また、図２（ｆ）に示す画面では、出力系ブロック、アナログチューナ系ブロック、デジタルチューナ系ブロック、メイン電源のそれぞれにおいて、警告表示を行うか否かを選択することができ、警告表示を行う場合には［ｏｎ］を選択し、警告表示を行わない場合は［ｏｆｆ］を選択すればよい。
【００３２】
なお、"自動設定"又は"手動設定"による省エネ設定の優先順位は、たとえば図２（ｃ）又は図２（ｅ）の選択画面で自動又は手動での設定を"する"を選択した最新の設定が優先されるようにすることができる。また、"自動設定"又は"手動設定"による省エネ設定の優先順位を選択できる画面が表示されるようにし、その画面で選択できるようにしてもよい。
【００３３】
また、"自動設定"又は"手動設定"による設定や設定変更は、メイン制御部１０によって受け付けられ、さらにその省エネ設定の内容は、図示しないメモリに記憶されるものとする。また、メイン電源がオンされると、メイン制御部１０によって図示しないメモリに記憶された省エネ設定の内容が読み込まれ、その内容に応じてメイン制御部１０がデジタル制御部２０及びアナログ制御部３０を制御する。
【００３４】
また、メイン制御部１０は、図示しないタイマーを有し、メイン電源がオンされると、そのタイマーを起動させ、そのカウント時間を基に省エネ設定のオフ時間を判定することができる。
【００３５】
図３は、上述した警告表示の一例を示す図である。同図に示す警告表示は、たとえば記録再生系ブロックの電源が５分後にオフされるように設定されているとき、メイン電源がオンされてから５分後に表示されるものである。
【００３６】
ここで、［ＯＫ］を選択すれば、記録再生系ブロックの電源がオフされるが、［ＮＯ］を選択すると、記録再生系ブロックの電源が５分後にオフされるように設定されているときであってもその電源がオフされないように設定変更される。
【００３７】
次に、電源制御方法について説明する。なお、以下の説明においては、説明の都合上、図２（ｄ）に示すような内容で自動設定されている場合とする。まず、図４に示すように、メイン電源がオンされると（ステップＳ１）、メイン制御部１０によって図１に示した記録再生系ブロック、出力系ブロック、アナログチューナ系ブロック、デジタルチューナ系ブロックの全ての回路ブロックの電源をオンする（ステップＳ２）。
【００３８】
また、メイン制御部１０により、メイン電源がオンされると、図示しないメモリに記憶された省エネ設定の内容が読み込まれる（ステップＳ３）。ここでは、自動設定の内容が読み込まれる。また、メイン制御部１０により、メイン電源がオンされると、図示しないタイマーが起動される（ステップＳ４）。
【００３９】
次いで、メイン電源がオンされた後に、ユーザによる何らかの操作が行われなかった場合、タイマーのカウント時間が図２（ｄ）に示した自動設定内容のオフ時間の５分後に達すると（ステップＳ５）、図３に示した警告表示が行われる（ステップＳ６）。ここで、ユーザにより警告表示の［ＯＫ］が選択されると（ステップＳ７）、記録再生系ブロックの電源がオフされる（ステップＳ８）。
【００４０】
この場合、メイン制御部１０により、デジタル制御部２０に対し、記録再生系ブロックの電源をオフするように指示され、デジタル制御部２０が記録再生系ブロックである、記録媒体駆動部４１−１〜４１−Ｎ、ストリーム制御部４３の電源をオフする。
【００４１】
これに対し、（ステップＳ７）においてユーザにより警告表示の［ＮＯ］が選択された場合、記録再生系ブロックの電源のオフがキャンセルされ、（ステップＳ５）に移行して次の出力系ブロックのオフ時間の判定が行われる。なお、（ステップＳ７）において、警告表示が行われたにもかかわらず、ユーザによる［ＯＫ］又は［ＮＯ］の選択が行われなかった場合、所定の時間が経過した後、警告表示に該当する回路ブロックの電源をオフするか、あるいはオフしないかを予め設定できるようにしてもよい。
【００４２】
次いで、（ステップＳ８）において、記録再生系ブロックの電源がオフされた後、メイン電源のオフ時間に達したか否かが判断される（ステップＳ９）。ここでは、オフ時間が５分後に設定された記録再生系ブロックの電源がオフされた後であるため、（ステップＳ５）に移行し、上記同様にして、図２（ｄ）に示した自動設定内容の出力系ブロック、アナログチューナ系ブロック、デジタルチューナ系ブロックのオフ時間に達したか否かが順次判断され、（ステップＳ６，Ｓ７）での警告表示でユーザにより［ＯＫ］が選択されると、（ステップＳ８）でそれぞれの回路ブロックの電源が順次オフされることになる。
【００４３】
そして、（ステップＳ９）において、ユーザによる何らかの操作がさらに行われず、図２（ｄ）に示した自動設定内容のメイン電源のオフ時間である５０分後に達すると、電源切り忘れと判断され、メイン電源がオフされる（ステップＳ１０）。この場合、メイン電源がオフされても本体表示部４０には時刻等が表示されるようにするために、メイン制御部１０と本体表示部４０の電源はオンのままとされる。
【００４４】
このように、本実施例では、制御手段としてのメイン制御部１０により、メイン電源がオンされた後、メイン電源の設定されたオフ時間内で、ユーザによる操作無しが所定時間経過する毎に、記録再生系ブロック、出力系ブロック、アナログチューナ系ブロック、デジタルチューナ系ブロックのいずれかの回路ブロック又は全ての回路ブロックの電源を設定に応じて順次オフするように制御したので、設定されたメイン電源のオフ時間になるまでに不必要な回路ブロックに対しての通電がオフされ、電力が無駄に消費されてしまうということを防止することができる。
【００４５】
また、本実施例では、メイン制御部１０により、いずれかの回路ブロックの電源をオフさせるかの設定を、ＵＩ（User Interface）を介して受け付けるようにしたので、従来のオフタイマ機能のような２時間、４時間といった長時間単位での設定とは異なり、比較的短時間でしかも回路ブロック毎の電源のオフの設定を行うことができる。
【００４６】
また、本実施例では、メイン制御部１０により、いずれかの回路ブロックの電源をオフさせるかのオフ時間の設定を、ＵＩ（User Interface）を介して受け付けるようにしたので、回路ブロック毎のオフ時間の設定を任意に行うことができる。
【００４７】
また、本実施例では、メイン制御部１０により、いずれかの回路ブロックの電源をオフさせるかの警告表示の設定を、ＵＩ（User Interface）を介して受け付けるようにしたので、回路ブロック毎に警告表示の設定を任意に行うことができる。
【００４８】
また、本実施例では、メイン制御部１０により、警告表示に対する指示がなければ該当する回路ブロックの電源をオフするか否かの設定を、ＵＩ（User Interface）を介して受け付けるようにしたので、回路ブロック毎に警告表示に対する指示の有無に応じての設定を任意に行うことができる。
【００４９】
また、本実施例では、メイン制御部１０により、警告表示に対する電源オフの指示を受け付けて該当する回路ブロックの電源をオフするようにしたので、たとえば映像の記録又は再生中において該当する回路ブロックが強制的にオフされてしまうようなことを防止することができる。
【００５０】
また、本実施例では、メイン制御部１０により、警告表示に対する電源オフしないとする指示を受け付けると、該当する回路ブロックの電源をオフしないようにしたので、特に、たとえば全ての回路ブロックの電源のオフが設定されていて、たとえばテレビジョン放送の記録中にユーザによる操作無しが継続することがあっても、警告表示に対する電源オフの指示を受け付けない限り、該当する回路ブロックの電源がオフされないので、記録が途切れてしまうといったようなことを回避することができる。
【００５１】
なお、本実施例では、たとえば、いずれかの回路ブロックの電源をオフさせるかの設定を、ＵＩ（User Interface）を介して受け付けるようにした場合について説明したが、この例に限らず、動作不可能な回路ブロックをＵＩ表示し、どうすれば動作できるかをＵＩ表示することも可能である。
【００５２】
さらに、接続されているケーブルや、カード挿入有無を検出し、使用できないモードをＵＩ表示することも可能である。すなわち、たとえば、ＢＳのケーブルが接続されていなかったり、ＨＤＭＩが接続されていなかったりした場合、「ＨＤＭＩ出力はできません。ＨＤＭＩケーブルを繋ぎリモコンＨＤＭＩキーを押せば使用可能になります」等の情報を表示するようにすればよい。
【産業上の利用可能性】
【００５３】
ＨＤＤレコーダ等の記録再生装置に限らず、あらゆる装置の電源制御に適用可能である
【図面の簡単な説明】
【００５４】
【図１】本発明の電源制御装置をＨＤＤレコーダに適用した場合の一実施例を説明するためのブロック図である。
【図２】図１の電源制御装置におけるＵＩ（User Interface）の一例を示す図である。
【図３】図１の電源制御装置における警告表示の一例を示す図である。
【図４】図１の電源制御装置における電源制御方法を説明するためのフローチャートである。
【符号の説明】
【００５５】
１０  メイン制御部（制御手段）
２０  デジタル制御部
２１−１〜２１−Ｎ  デジタルチューナ部
２２−１〜２２−Ｎ  デジタル復調部
２３  復号部
２４  ストリームデコード部
２５  ＧＵＩ表示ＭＩＸ部
３０  アナログ制御部
３１−１〜３１−Ｎ  アナログチューナ部
３２−１〜３２−Ｎ  アナログ復調部
３３  Ａ／Ｄ部
３４  ストリームエンコード部
３５  ストリームデコード部
４０  本体表示部
４１−１〜４１−Ｎ  記録媒体駆動部
４２  映像音声出力部
４３  ストリーム制御部
【図１】
2007174765.tif 000003
【図２】
2007174765.tif 000004
【図３】
2007174765.tif 000005
【図４】
2007174765.tif 000006